(57)【要約】【課題】照明器具に対し操作信号の通信の安定性を高くでき、かつ、照明操作を早く行いたいユーザの不快感を解消できる照明システムを提供することである。【解決手段】照明システム１０は、無線メッシュネットワークＭを形成する複数の照明器具１２，１４と、複数の照明器具の少なくとも１つである第１照明器具と無線通信する端末装置３０とを含む。端末装置は、第１照明器具との間でブリッジ接続が確立される前までに、端末装置の操作に応じて、複数の照明器具に、アドバタイズ信号で操作信号を送信し、ブリッジ接続の確立後は、第１照明器具に、ブリッジ接続を用いて、端末装置の操作に応じて操作信号を送信する。【選択図】図１
2020115439.tif 000002
【特許請求の範囲】
【請求項１】
無線メッシュネットワークを形成する複数の照明器具と、前記複数の照明器具の少なくとも１つである第１照明器具と無線通信する端末装置とを備える照明システムであって、
前記端末装置は、前記第１照明器具との間でブリッジ接続が確立される前までに、前記端末装置の操作に応じて、前記複数の照明器具に、アドバタイズ信号で操作信号を送信し、前記ブリッジ接続の確立後は、前記第１照明器具に、前記ブリッジ接続を用いて、前記端末装置の操作に応じて操作信号を送信する、
照明システム。
【請求項２】
請求項１に記載の照明システムにおいて、
前記端末装置は、前記第１照明器具との間で前記ブリッジ接続が確立される前までに、前記端末装置の操作に応じて、前記ブリッジ接続のための信号に対し時分割の割り込みまたは優先して、前記複数の照明器具に、アドバタイズ信号で操作信号を送信する、
照明システム。
【請求項３】
請求項１に記載の照明システムにおいて、
前記端末装置は、前記第１照明器具に前記ブリッジ接続のための信号を送信する前に、前記端末装置の操作に応じて、前記複数の照明器具に、アドバタイズ信号で操作信号を送信する、
照明システム。
【請求項４】
請求項３に記載の照明システムにおいて、
前記端末装置は、所定条件の成立に応じて、前記第１照明器具に、前記ブリッジ接続のための信号を送信する、
照明システム。
【請求項５】
請求項１から請求項４のいずれか１項に記載の照明システムに用いられる前記端末装置であって、
前記第１照明器具に前記ブリッジ接続のための信号を送信する機能と、前記複数の照明器具にアドバタイズ信号を送信する機能とを有する通信部と、
前記通信部を制御する制御部と、を有し、
前記制御部は、
前記第１照明器具との間で前記ブリッジ接続が確立される前までに、前記端末装置の操作に応じて、前記複数の照明器具に、アドバタイズ信号で操作信号を送信させ、前記ブリッジ接続の確立後は、前記第１照明器具に、前記ブリッジ接続を用いて、前記端末装置の操作に応じて操作信号を送信させる、
端末装置。
【請求項６】
請求項５に記載の端末装置において、前記第１照明器具との間で前記ブリッジ接続が確立される前までに、前記端末装置の操作に応じて、前記複数の照明器具に、アドバタイズ信号で操作信号を送信させ、前記ブリッジ接続の確立後は、前記第１照明器具に、前記ブリッジ接続を用いて、前記端末装置の操作に応じて操作信号を送信させるように、前記制御部に実行させるための、
プログラム。
【発明の詳細な説明】
【技術分野】
【０００１】
本開示は、照明システム、端末装置及びプログラムに関する。
【背景技術】
【０００２】
特許文献１には、制御装置から複数の照明器具に対し無線通信を行うことで、複数の照明器具の点灯の指示信号を送信することが記載されている。
【先行技術文献】
【特許文献】
【０００３】
【特許文献１】特開２０１３−４８０１４号公報
【発明の概要】
【発明が解決しようとする課題】
【０００４】
ところで、複数の照明器具により無線メッシュネットワークを形成し、端末装置が、複数の照明器具の少なくとも１つである第１照明器具と無線通信し、第１照明器具から操作対象の他の照明器具にその信号を転送させる場合がある。この場合に、端末装置と第１照明器具との間で、仮想的な専用通信路を確立し、その通信路を用いて、異なるネットワークセグメント同士を、同一のネットワークセグメントとして接続するブリッジ接続を行うことで、送受信の失敗が生じにくい通信が可能となる。これにより、照明器具に対し操作信号の安定した通信が可能となる。しかしながら、ブリッジ接続の確立までに待ち時間が生じるため、照明操作を早く行いたいユーザに不快感を生じさせる原因となる。
【０００５】
本開示の目的は、照明器具に対し操作信号の通信の安定性を高くでき、かつ、照明操作を早く行いたいユーザの不快感を解消できる照明システム、端末装置及びプログラムを提供することである。
【課題を解決するための手段】
【０００６】
本開示の一態様である照明システムは、無線メッシュネットワークを形成する複数の照明器具と、複数の照明器具の少なくとも１つである第１照明器具と無線通信する端末装置とを備える照明システムであって、端末装置は、第１照明器具との間でブリッジ接続が確立される前までに、端末装置の操作に応じて、複数の照明器具に、アドバタイズ信号で操作信号を送信し、ブリッジ接続の確立後は、第１照明器具に、ブリッジ接続を用いて、端末装置の操作に応じて操作信号を送信する、照明システムである。
【０００７】
本開示の一態様である端末装置は、本開示の照明システムに用いられる端末装置であって、第１照明器具にブリッジ接続のための信号を送信する機能と、複数の照明器具にアドバタイズ信号を送信する機能とを有する通信部と、通信部を制御する制御部と、を有し、制御部は、第１照明器具との間でブリッジ接続が確立される前までに、端末装置の操作に応じて、複数の照明器具に、アドバタイズ信号で操作信号を送信させ、ブリッジ接続の確立後は、第１照明器具に、ブリッジ接続を用いて、端末装置の操作に応じて操作信号を送信させる、端末装置である。
【０００８】
本開示の一態様であるプログラムは、本開示の端末装置において、第１照明器具との間でブリッジ接続が確立される前までに、端末装置の操作に応じて、複数の照明器具に、アドバタイズ信号で操作信号を送信させ、ブリッジ接続の確立後は、第１照明器具に、ブリッジ接続を用いて、端末装置の操作に応じて操作信号を送信させるように、制御部に実行させるための、プログラムである。
【発明の効果】
【０００９】
本開示の一態様である照明システム、端末装置及びプログラムによれば、端末装置と第１照明器具との間でブリッジ接続が確立される前までに、端末装置の操作に応じて複数の照明器具にアドバタイズ信号で操作信号を送信するので、ユーザが照明器具を早期に操作できる。これにより、照明操作を早く行いたいユーザの不快感を解消できる。さらに、ブリッジ接続の確立後は、第１照明器具に、ブリッジ接続を用いて端末装置の操作に応じて操作信号を送信するので、照明器具に対し操作信号の通信の安定性を高くできる。
【図面の簡単な説明】
【００１０】
【図１】実施形態の一例の照明システムを示す図である。
【図２】実施形態の一例の照明システムの端末装置と複数の照明器具との構成を示すブロック図である。
【図３】実施形態の一例の照明システムにおいて、端末装置による操作信号の送信方法を示すフローチャートである。
【図４】実施形態の一例の照明システムにおいて、端末装置からのブリッジ接続用信号及びアドバタイズ信号の送信タイミングを示す図である。
【図５】実施形態の別例の照明システムにおいて、端末装置による操作信号の送信方法を示すフローチャートである。
【図６】実施形態の別例の照明システムにおいて、端末装置からのブリッジ接続用信号及びアドバタイズ信号の送信タイミングを示す図である。
【発明を実施するための形態】
【００１１】
以下、図面を参照しながら、本開示に係る照明システムの実施形態について詳細に説明する。但し、本開示は以下で説明する実施形態に限定されない。
【００１２】
本開示のシステムの主体は、コンピュータを備えている。このコンピュータがプログラムを実行することによって、本開示のシステムの主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの装置に集約されていてもよく、複数の装置に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１３】
図１は、実施形態の一例の照明システム１０を示す図である。照明システム１０は、照明器具１２と、複数の照明器具１４とを含む複数の照明器具１２，１４と、端末装置３０とを備える。照明器具１２は、第１照明器具に相当する。照明システム１０が備える照明器具の数は特に限定されない。複数の照明器具１２，１４のそれぞれは、例えばシーリングライトである。照明器具は、ダウンライト、スポットライト等の他の種類としてもよい。複数の照明器具１２，１４は、互いに無線通信可能となっている。
【００１４】
照明器具１２は、ユーザが操作する端末装置３０と無線通信可能に接続される。照明器具１２は、端末装置３０がユーザに操作された場合に、その操作に応じて操作信号を受信する。具体的には、照明器具１２と端末装置３０とは、ブリッジ接続を用いたデータ通信で送受信される。ブリッジ接続は、端末装置３０と照明器具１２との間で、仮想的な専用通信路を確立し、その通信路を用いて、異なるネットワークセグメント同士を、ソフトウェア処理またはハードウェアブリッジ装置等により、同一のネットワークセグメントとして接続する方法である。ブリッジ接続では、信号の送受信の失敗の可能性が低い仮想的な専用通信路が確立される。この専用通信路を通じた通信は、信号を送信した相手に信号が到着したことを確認しながら通信を行うため、通信の信頼性が高い。例えば、専用通信路を用いた通信では、所定のインターバル期間毎に必ずデータ送信を行い、送信したいデータがない場合でもＥｍｐｔｙ  ＰＤＵ（Ｐｒｏｔｏｃｏｌ  Ｄａｔａ  Ｕｎｉｔ）というデータ形式のデータを送信して、相互の通信を維持する。また、送信したいデータがある場合には所定のインターバルで通信している間に、予め定められた通信プロトコルを通じてデータを送信する。インターバル期間中に返信がない場合にはデータを再送する。
【００１５】
一方、ブリッジ接続では、専用通信路の確立のためにブリッジ接続のための信号を、通信する装置間で送受信する必要がある。これにより、ブリッジ接続の確立には時間がかかる。このため、ブリッジ接続の確立の前までは、端末装置３０を用いた操作信号を照明器具１２に送信できず、照明操作を早く行いたいユーザの不快感を生じさせる原因となる。実施形態では、このような不都合を解消するために、後述のように、ブリッジ接続の確立の前に、端末装置３０からアドバタイズ信号を用いて端末装置３０の操作に応じて操作信号を送信可能とする。
【００１６】
一方、照明器具１２及び複数の照明器具１４は、同一の無線メッシュネットワークＭを形成する。
【００１７】
無線メッシュネットワークは、無線通信機能を持った複数の装置が互いに信号の送受信を可能に接続されることにより、網目状に形成された通信ネットワークである。無線メッシュネットワーク上では、信号が１つ以上の装置を介して転送される。これにより、無線メッシュネットワーク上の１つの装置が外部から受信した信号を、他の装置も受信することができる。
【００１８】
実施形態では、照明器具１２は、ブリッジ接続を用いて端末装置３０から、操作信号を受信し、受信した信号を、無線メッシュネットワークＭを通じて他の複数の照明器具１４に転送する。端末装置３０と照明器具１２とは、ＢＬＥ（Ｂｌｕｅｔｏｏｔｈ（登録商標）  Ｌｏｗ  Ｅｎｅｒｇｙ）の無線通信により通信可能に接続される。複数の照明器具１２，１４も、ＢＬＥの無線通信により通信可能に接続される。例えば、複数の照明器具１２，１４は、ＢＬＥのアドバタイズ信号で操作信号を送信する。アドバタイズ信号は、自機の存在を周囲の装置に知らせるためにデータを定期的に送信するために用いられる信号である。複数の照明器具１２,１４には器具ＩＤが設定されており、送信先の器具ＩＤを含む信号を発信することで、送信先の照明器具１２，１４が、その受信信号が自機のＩＤを含む場合にその信号を読み取って照明器具１２，１４の点灯状態を制御、または別の照明器具１２，１４に信号を転送してもよい。図１では、各照明器具１２，１４に付されたＩＤ：１〜４の数字がそれぞれの器具ＩＤを示している。また、端末装置３０からブリッジ接続のための信号を発信する前に、複数の照明器具１２，１４がアドバタイズ信号を発信し、端末装置３０は、複数の照明器具１２，１４から電波強度が最大の照明器具を、端末装置３０に最も近い器具と認識してもよい。このとき、端末装置３０は、最も近い器具にブリッジ接続のための信号を送信する。本例では、端末装置３０は、ＩＤが４の照明器具１２を最も近い器具と認識してブリッジ接続するが、端末装置３０の位置によって、ブリッジ接続する照明器具は変更され、ブリッジ接続する照明器具が第１照明器具となる。
【００１９】
なお、端末装置３０及び照明器具１２の間、複数の照明器具１２，１４の間を、それぞれＷｉ−Ｆｉ（登録商標）、Ｂｌｕｅｔｏｏｔｈ（登録商標）等の他の無線通信により通信可能に接続してもよい。
【００２０】
端末装置３０は、照明器具１２，１４の点灯または消灯等の点灯状態を制御するための操作信号を送信する機能を有する通信端末である。端末装置３０は、例えば信号を送受信する機能を有するスマートフォンであるが、リモートコントローラとしてもよい。操作信号の操作対象である照明器具は、操作信号を受信した場合に、端末装置３０へ信号を受信したことを表す受信確認信号を返信する。例えば、図１では、丸内に１,２,３の符号を付した矢印で、通信の順序を示している。白抜き矢印２で示すように、端末装置３０からブリッジ接続で照明器具１２に操作信号が送信される場合がある。図１の例では、その操作信号が、ＩＤが２の照明器具１４を点灯させる指示である場合を示している。以下、ＩＤが２の照明器具１４を対象照明器具１４と記載する場合がある。この場合、細い実線矢印３で示すように、無線メッシュネットワークＭ上で複数の照明器具１２，１４間で操作信号が転送され、対象照明器具１４が操作信号を受信する。これに応じて、対象照明器具１４が点灯される。このとき、対象照明器具１４からは、端末装置３０に、受信確認信号が返信される。この受信確認信号をアドバタイズ信号としてもよい。
【００２１】
さらに、後述するように、端末装置３０からは、太い実線矢印１で示すように、端末装置３０は、照明器具１２との間でブリッジ接続が確立される前までに、端末装置３０の操作に応じて、複数の照明器具１２，１４のすべてに、アドバタイズ信号で操作信号を送信する。より具体的には、端末装置３０は、照明器具１２との間でブリッジ接続が確立される前までに、端末装置３０の操作に応じて、ブリッジ接続のための信号に対し、時分割の割り込みまたは優先して、複数の照明器具１２，１４のすべてに、アドバタイズ信号で操作信号を送信する。
【００２２】
アドバタイズ信号は、ブリッジ接続を用いて送信される信号の周波数より少ない周波数のチャンネル数を用いて送信される。例えばブリッジ接続は、４０チャンネルで送信され、アドバタイズ信号は３チャンネルで送信される。また、アドバタイズ信号を送信する場合には、ブリッジ接続を用いて送信する場合と異なり、予め専用通信路を確立する必要がない。これにより、端末装置３０がアドバタイズ信号を用いて操作信号を、複数の照明器具１２，１４に送信することで、ブリッジ接続の確立前に、端末装置３０を用いて対象照明器具１４を早期に操作することができる。このとき、端末装置３０は、照明器具１２を操作してもよい。また、端末装置３０からアドバタイズ信号で操作信号を送信するときに、端末装置から所定時間内において、所定回数（１回のみ、または複数回）操作信号を発信することもでき、受信確認信号を受信したときにその発信を停止してもよい。
【００２３】
図２は、照明システム１０の端末装置３０と複数の照明器具１２，１４との構成を示すブロック図である。図２では、複数の照明器具１２，１４として、照明器具１２と、１つの照明器具１４のみとを示している。照明器具１２は、通信部１６、制御部１８、光源部２０、及び記憶部２２を備える。また、照明器具１４は、通信部１７、制御部１９、光源部２１、及び記憶部２３を備える。照明器具１２と照明器具１４とは、端末装置３０とブリッジ接続を行うか否かの違いだけで、基本構成は同一である。
【００２４】
通信部１６は、照明器具１２が、端末装置３０及び他の照明器具１４と無線通信するためのインターフェースである。通信部１７は、照明器具１４が、端末装置３０及び他の照明器具１２，１４と無線通信するためのインターフェースである。
【００２５】
制御部１８は、通信部１６を制御する。制御部１８は、端末装置３０から受信した操作信号に応じて光源部２０の点灯状態を制御する。制御部１８は、例えば、ＣＰＵを有し、記憶部２２に記憶されたプログラムによって演算処理が実行される。制御部１８は、操作信号を受信し、その操作対象が自機である場合に受信確認信号を端末装置３０に返信する。また、制御部１８は、操作対象が自機でない場合に操作信号を他の照明器具１４に転送する。制御部１９の機能は、制御部１８の機能と同様である。
【００２６】
光源部２０，２１は、照明光を発する。例えば光源部２０，２１は、ＬＥＤ、蛍光灯、ハロゲンランプ等である。
【００２７】
記憶部２２，２３は、ＲＯＭ、ＲＡＭ、ＨＤＤ、フラッシュメモリ等により実現される。記憶部２２，２３は、受信した操作信号を記憶する機能を有する。
【００２８】
端末装置３０は、操作部３１、通信部３２、制御部３３、及び記憶部３４を備える。操作部３１は、例えば端末装置３０がスマートフォンである場合にタッチパネルスクリーンに設けられる。ユーザは、操作部３１を用いて、１つ以上の照明器具１２，１４の点灯状態を操作することが可能である。
【００２９】
通信部３２は、端末装置３０が複数の照明器具１２，１４と無線通信するためのインターフェースである。通信部３２は、照明器具１２にブリッジ接続のための信号を送信する機能と、複数の照明器具１２，１４にアドバタイズ信号を送信する機能とを有する。
【００３０】
制御部３３は、通信部３２を制御する。制御部３３は、例えば、ＣＰＵを有し、記憶部３４に記憶されたプログラムによって演算処理が実行される。制御部３３は、照明器具１２との間でブリッジ接続が確立される前までに、端末装置３０の操作に応じて、複数の照明器具１２，１４に、アドバタイズ信号で操作信号を送信させ、ブリッジ接続の確立後は、照明器具１２に、ブリッジ接続を用いて、端末装置３０の操作に応じて操作信号を送信させる機能を有する。
【００３１】
記憶部３４は、ＲＯＭ、ＲＡＭ、ＨＤＤ、フラッシュメモリ等により実現される。記憶部３４は、操作部３１の操作による照明操作の指示内容を記憶する機能を有する。また、端末装置３０がスマートフォンである場合に、記憶部３４には、照明操作のアプリケーションプログラムが記憶される。ユーザは、制御部３３にアプリケーションプログラムを実行させることで、照明器具１２，１４を操作するための画面をタッチパネルスクリーンに表示させることができる。上記プログラムは、例えば、照明器具１２との間でブリッジ接続が確立される前までに、端末装置３０の操作に応じて、複数の照明器具１２，１４に、アドバタイズ信号で操作信号を送信させ、ブリッジ接続の確立後は、照明器具１２に、ブリッジ接続を用いて、端末装置３０の操作に応じて操作信号を送信させるように、制御部３３に実行させるために用いられる。
【００３２】
図３は、照明システム１０において、端末装置３０による操作信号の送信方法を示すフローチャートである。図３では、端末装置３０がスマートフォンであり、照明操作のアプリケーションプログラムの起動によって、制御部３３が信号送信を行う場合を示している。
【００３３】
ステップＳ１０において、端末装置３０で上記アプリケーションプログラムが起動されると、ステップＳ１１で制御部３３が、照明操作がされたか否かを判定する。ステップＳ１１の判定結果が肯定（ＹＥＳ）の場合は、ステップＳ１２に移行する。ステップＳ１２では、制御部３３が通信部３２を制御して、照明器具１２にブリッジ接続のための信号（ブリッジ接続用信号）を送信させるとともに、ブリッジ接続用信号に対し時分割の割り込みまたは優先して、アドバタイズ信号で操作信号を、複数の照明器具１２，１４に送信させる。
【００３４】
一方、ステップＳ１１の判定結果が否定（ＮＯ）の場合には、ステップＳ１３で制御部３３が通信部３２を制御して、照明器具１２にブリッジ接続用信号を送信させる。
【００３５】
ステップＳ１２，Ｓ１３の後、ステップＳ１４でブリッジ接続が確立されると、制御部３３は、通信部３２を制御して、照明器具１２にブリッジ接続を用いたデータ通信で操作信号を送信させる。照明器具１２からは、無線メッシュネットワークＭで他の複数の照明器具１４に操作信号が転送される。
【００３６】
上記の照明システム１０、端末装置３０、及びプログラムによれば、端末装置３０と照明器具１２との間でブリッジ接続が確立される前までに、端末装置３０の操作に応じて複数の照明器具１２，１４にアドバタイズ信号で操作信号を送信するので、ユーザが照明器具１２，１４を早期に操作できる。例えば、端末装置３０がスマートフォンであり、アプリケーションプログラムが制御部３３で実行される場合に、このプログラムの起動後、初期の照明器具１２，１４の操作を行う画面上で、早期に操作を行うことが可能となる。これにより、照明操作を早く行いたいユーザの不快感を解消できる。さらに、ブリッジ接続の確立後は、照明器具１２に、ブリッジ接続を用いて端末装置３０の操作に応じて操作信号を送信するので、照明器具１２，１４に対し操作信号の通信の安定性を高くできる。
【００３７】
図４は、照明システム１０において、端末装置３０からのブリッジ接続用信号及びアドバタイズ信号の送信タイミングを示す図である。図４の実施形態の欄で示すように、照明システム１０によれば、ブリッジ接続用信号の送信とアドバタイズ信号での操作信号の送信とをほぼ同時に、または優先して行える。そして、ブリッジ接続の確立後は、ブリッジ接続を用いて操作信号を送信できる。これにより、ユーザの操作が有効となる時点を早くできる。また、図４では、比較例として、ブリッジ接続の確立の前にはアドバタイズ信号で操作信号を送信しない場合も示している。この比較例では、ブリッジ接続用信号の送信中でブリッジ接続の確立の前には、ユーザの操作が無効となるので、ユーザが照明器具を早期には操作できない。実施形態の照明システム１０によればこのような不都合を解消できる。
【００３８】
図５は、実施形態の別例の照明システムにおいて、端末装置３０による操作信号の送信方法を示すフローチャートである。図６は、実施形態の別例の照明システムにおいて、端末装置３０からのブリッジ接続用信号及びアドバタイズ信号の送信タイミングを示す図である。
【００３９】
本例の照明システムは、図６に示すように、端末装置３０が、照明器具１２にブリッジ接続のための信号（ブリッジ接続用信号）を送信する前（送信開始前）に、端末装置３０の操作に応じて、複数の照明器具１２，１４に、アドバタイズ信号で操作信号を送信する。また、端末装置３０は、所定条件の成立に応じて、照明器具１２に、ブリッジ接続用信号を送信する。例えば、端末装置３０がスマートフォンであり、アプリケーションプログラムが制御部３３で実行される場合には、このプログラムの起動後、所定条件が成立した後に、ブリッジ接続用信号を照明器具１２に送信する。「所定条件」は、例えば、所定時間の経過である。例えば、「所定条件」は、プログラムの起動から一定時間（例えば１０秒）経過したこと、またはユーザの操作がない状態が一定時間続いたこと等である。また、「所定条件」は、ユーザの登録作業、照明器具１２，１４の名称送信など、複数の通信シーケンスを要する処理が発生したこと、または照明器具１２，１４の初期化など、失敗した場合に不具合発生リスクがある重要な処理の開始が生じたこと等としてもよい。「所定条件」の内容は予め記憶部３４に記憶されている。
【００４０】
図５に示すように、端末装置３０により操作信号を送信する場合には、ステップＳ２０において、端末装置３０で上記アプリケーションプログラムが起動されると、ステップＳ２１で制御部３３が、照明操作がされたか否かを判定する。ステップＳ２１の判定結果が肯定（ＹＥＳ）の場合は、ステップＳ２２に移行する。ステップＳ２２では、制御部３３が通信部３２を制御して、アドバタイズ信号で操作信号を、複数の照明器具１２，１４に送信させ、ステップＳ２３に移行する。
【００４１】
一方、ステップＳ２１の判定結果が否定（ＮＯ）の場合には、ステップＳ２３に移行する。ステップＳ２３では、制御部３３が上記の所定条件が成立したか否かを判定する。ステップＳ２３の判定結果が肯定（ＹＥＳ）の場合には、ステップＳ２４で制御部３３が通信部３２を制御して、照明器具１２にブリッジ接続用信号を送信させる。
【００４２】
ステップＳ２５，Ｓ２６の処理は、図３のステップＳ１４，Ｓ１５の処理と同様である。一方、ステップＳ２３の判定結果が否定（ＮＯ）の場合には、ステップＳ２１に戻って、ステップＳ２１からステップＳ２３の処理を繰り返す。
【００４３】
本例の構成によっても、図１〜図４の構成と同様に、照明器具１２，１４に対し操作信号の通信の安定性を高くでき、かつ、照明操作を早く行いたいユーザの不快感を解消できる。具体的には、本例では、図６に示すように、端末装置３０がブリッジ接続用信号を送信する時点が、端末装置３０がアドバタイズ信号で操作信号を送信可能となった時点よりも遅くなる。この場合でも、ユーザの操作が有効となる時点を早くできるのでユーザの不快感を解消できる。本例において、その他の構成及び作用は、図１〜図４の構成と同様である。
【００４４】
なお、上述の実施形態は本開示の目的を損なわない範囲で適宜設計変更できる。
【符号の説明】
【００４５】
１０  照明システム、１２  照明器具（第１照明器具）、１４  照明器具、１６，１  ７  通信部、１８，１９  制御部、２０、２１  光源部、２２，２３  記憶部、３０    端末装置、３１  操作部、３２  通信部、３３  制御部、３４  記憶部。
【図１】
2020115439.tif 000003
【図２】
2020115439.tif 000004
【図３】
2020115439.tif 000005
【図４】
2020115439.tif 000006
【図５】
2020115439.tif 000007
【図６】
2020115439.tif 000008